(57)【特許請求の範囲】
【請求項１】
上向きフックを有し、複数のねじによって建物の壁に水平に取付けられる固定側金具と、該固定側金具の前記上向きフックに掛合する下向きフックが上部に形成された吊り下げ金具が手前側の側壁に固定された横長のプランターとを有し、しかも、前記下向きフックは折り曲げ形成された板材からなり、更に、前記固定側金具は下向き開口の箱状となって、前記上向きフックは奥側の箱側壁の下部を内側に折り曲げて形成され、その両側には、掛止した前記下向きフックの脱落を防止する取り外し可能なストッパーが設けられた盲板をそれぞれ備えていることを特徴とするプランター装置。
【請求項２】
請求項１記載のプランター装置において、前記プランターの側壁の中間位置には水抜き孔を備え、その下部位は水溜となって、その上部に空気部を介して多孔部材からなる用土受け部材が設けられ、更に該用土受け部材には、水吸い上げ部材が挿通していることを特徴とするプランター装置。
【請求項３】
請求項１又は２記載のプランター装置において、前記プランターの手前側を除く側壁上部には、断面筒状の補強部材が一体的に形成されていることを特徴とするプランター装置。
【発明の詳細な説明】
【０００１】
【発明の属する技術分野】
本発明は、植物を栽培するためのプランターを建物の窓の直下の壁等に吊り下げて使用するプランター装置に関する。
【０００２】
【従来の技術】
従来、アパートやマンション等の狭い空間、例えば、ベランダや窓等を利用して草花、野菜等を育てたり、栽培するためにＦＲＰ製のプランターを使用した装置が用いられている。プランター装置にはベランダ等に定置されるものや、窓や建物の壁面を利用して吊り下げる方式のものがある。プランターの容量も小さいものから大きいものまでいろいろなサイズのものが使用されている。
【０００３】
【発明が解決しようとする課題】
しかしながら、前記従来のプランター装置においては、未だ解決すべき以下のような問題があった。
特に、横長で大型のプランター（例えば、幅３６０ｍｍ、深さ４００ｍｍ、長さ１８５０ｍｍ）に用土を入れた場合には、総重量が１００ｋｇ以上となるため、ベランダ等に定置している場合にはそれほど問題にならないが、例えば、出窓や建物の壁面に吊り下げる場合には、出窓や壁面の強度が小さい場合や、プランター自体がプラスチックからなって剛性が小さい場合には、落下の危険があってこの吊り下げ方式を採用することができないという問題があった。
また、出窓や壁面の強度や、プランター自体の剛性に問題が無い場合でも、取付けた状態で、強い風雨に対して強固に保持することができず、取り外されてしまうという問題もあった。さらに、プランター装置の取付け時に時間を要し、施工性が良くないという問題もあった。更には従来のプランターでは、底に溜まる水の量が少ないので、乾燥に弱く、そのため天気の良い日には毎日水を補給する必要があった。
【０００４】
本発明はこのような事情に鑑みてなされたもので、プランターを出窓や壁面等に吊り下げる場合、プランターを強固に保持することができ、また施工性や景観性の良好なプランター装置を提供することを目的とする。
【０００５】
【課題を解決するための手段】
前記目的に沿う本発明に係るプランター装置は、上向きフックを有し、複数のねじによって建物の壁に水平に取付けられる固定側金具と、該固定側金具の前記上向きフックに掛合する下向きフックが上部に形成された吊り下げ金具が手前側の側壁に固定された横長のプランターとを有し、しかも、前記下向きフックは折り曲げ形成された板材からなり、更に、前記固定側金具は下向き開口の箱状となって、前記上向きフックは奥側の箱側壁の下部を内側に折り曲げて形成され、その両側には、掛止した前記下向きフックの脱落を防止する取り外し可能なストッパーが設けられた盲板をそれぞれ備えている。従って、プランターを取付けた吊り下げ金具の下向きフックを、建物の壁に取付けられた固定側金具の上向きフックに掛合することができる。
【０００６】
ここで、下向きフックは板材からなると共に、固定側金具は箱状に形成されているので、軽量でかつ剛性を大きくすることができる。また、掛合部が箱状内部に位置するので外から見えない。
また、プランターの側壁の中間位置には水抜き孔を備え、その下部位は水溜となって、その上部に空気部を介して多孔部材からなる用土受け部材が設けられ、更に用土受け部材には、水吸い上げ部材を挿通することもでき、これによって水吸い上げ部材を介して水溜の水を用土に吸い上げて、用土の水分を適度に維持することができる。
プランターの手前側を除く側壁上部には、断面筒状の補強部材を一体的に形成することもでき、この結果、プランターの剛性をアップすることができる。
なお、本発明のプランター装置のプランターの材料は、ＦＲＰ等十分強度を有するものを使用している。
【０００７】
【発明の実施の形態】
続いて、添付した図面を参照しつつ、本発明を具体化した実施の形態につき説明し、本発明の理解に供する。
ここに、図１は本発明の一実施の形態に係るプランター装置の斜視図、図２は同プランター装置の一部省略側断面図、図３は同プランター装置に使用するプランターの正面図、図４は同プランター装置に使用するプランターの側断面図、図５は同プランター装置に使用する固定側金具の正面図、図６は同プランター装置に使用する吊り下げ金具の正面図、図７は同プランター装置に使用する継ぎ板の正面図、図８は本発明の他の実施の形態に係るプランター装置の一部省略斜視断面図である。
【０００８】
図１及び図２に示すように、本発明の一実施の形態に係るプランター装置１０は、上向きフック１１を有し、複数のねじ１２によって建物の壁１３に水平に取付けられる固定側金具１４と、固定側金具１４の上向きフック１１に掛合する下向きフック１５が上部に形成された吊り下げ金具１６が手前側（建物の壁１３側）の側壁１７に固定された横長のプランター１８とを有して構成されている。以下、これらについて詳しく説明する。
【０００９】
図３及び図４に示すように、プランター１８は、ＦＲＰ製の上方に矩形状の開口部を有する容器であって、建物の壁１３側の側壁１７以外の３つの側壁１９、２０、２１の上端部には、水平に突出した補強部材２２、２３、２４が形成されている。プランター１８内には、図２及び図４に示すように、側壁１７、１９に沿ってパイプ状の受け座２５、２６が固定して配置され、受け座２５、２６の上に、用土受け部材２７が載置可能な構造となっている。用土受け部材２７は矩形状の平板からなり、水通し孔２８が多数形成されている。用土受け部材２７上には、数種類の土２９、３０が積層された用土３１が収納されるようになっている。
図２に示すように、プランター１８の側壁１７の上端部は、吊り下げ金具１６の下端部と複数のボルト３２、ナット３３によって連結されている。図２中の符号３４は座金を表しており、符号３５は図７に示す継ぎ板を表している。継ぎ板３５は図７に示すように、棒状の薄板からなり、所定のピッチでボルト３２が挿通する挿通孔３６が形成されている。
【００１０】
図２及び図６に示すように、吊り下げ金具１６は、プランター１８と連結する略垂直に配置された固定部３８と、固定部３８の上端で前方に略水平方向に突出した中間部３９と、中間部３９の先端に上側に接続された下向きフック１５とを備えている。吊り下げ金具１６の下端部がプランター１８と複数のボルト３２、ナット３３によって連結されるように、固定部３８には所定のピッチで挿通孔３７が形成されている。固定部３８及び中間部３９の長さは、継ぎ板３５の長さと同じとしており、下向きフック１５の長さは固定部３８及び中間部３９の長さより少し長く形成している。下向きフック１５は、中間部３９の先端に連結された垂直部４０と、垂直部４０の上端に前方に下方に傾斜して設けられた当接部４１を備えている。吊り下げ金具１６は固定部３８、中間部３９、垂直部４０、当接部４１は別々に製作したものを溶接等で一体的に構成することもできるし、その一部又は全部は板材を折り曲げて形成することもできる。
【００１１】
図２及び図５に示すように、固定側金具１４は、建物の壁１３に複数のねじ１２によって取付けられる固定部４２と、固定部４２の上端で前方に水平方向に取付けられた中間部４３と、中間部４３の先端に取付けられた上向きフック１１と、固定部４２の下端で前方に水平方向に取付けられた補強部４４とを備えており、下向きの開口部４５を有する断面箱状となっている。上向きフック１１は、下向きフック１５の当接部４１に接触する当接部４６を先端に備えた垂直部４７（奥側の箱側壁）を有し、垂直部４７の下部先端の内側（壁側）に当接部４６が連結されている。固定側金具１４も吊り下げ金具１６と同様に、固定部４２、中間部４３、補強部４４、当接部４６、垂直部４７を別々に製作したものを溶接等で一体的に構成することもできるし、その一部又は全部は板材を折り曲げて形成することもできる。
【００１２】
図５に示すように、固定部４２には、建物の壁１３にねじ１２によって取付けるために、取付け用の長孔４８が所定のピッチで形成されている。なお、図２に破線で示すように、固定側金具１４の両側にはそれぞれ、上向きフック１１に掛止された下向きフック１５の脱落を防止するために、取り外し可能なストッパーの一例であるボルト（図示せず）が螺合する雌ねじ４９が形成された盲板５０、５１が設けられている。前記ボルトを雌ねじ４９に取付けることによって、前記ボルトの先端部が下向きフック１５の垂直部４０の前面側に当接して脱落を防止できる。図２中の符号５３は、建物の壁１３に接着剤等で固定された、ゴム等の弾性材からなるプランター受座を、また、符号５４は建物の壁１３に埋め込まれた、樹脂からなるねじ取付け具を表しており、それぞれプランター１８の長手方向に所定のピッチで設けられている。符号５５は用土受け部材２７の下方に形成された水溜兼空気部を表している。
【００１３】
次に、本発明の一実施の形態に係るプランター装置１０を用いたプランターの取付け作業について、主に図２を参照しながら説明する。
建物の壁１３の所定位置に、所要数のねじ取付け具５４及びプランター受座５３を取付ける。内部に受け座２５、２６が固定された空のプランター１８に吊り下げ金具１６を、継ぎ板３５を介してボルト３２、ナット３３によって連結する。固定側金具１４を建物の壁１３に、ねじ１２及びねじ取付け具５４を介して固定する。
【００１４】
空のプランター１８を取付けた吊り下げ金具１６の下向きフック１５を下方から上方に移動させて、固定側金具１４の開口部４５から内部に挿入し、下向きフック１５を上向きフック１１に掛合する。この際、図２に示すように、ナット３３が建物の壁１３に接することなく、プランター１８の側壁１７の下端部がプランター受座５３に当接する。固定側金具１４の両端の盲板５０、５１に形成された雌ねじ４９にボルトを取付けて、下向きフック１５が上端部を中心にして時計方向に回転して上向きフック１１との掛合が外れないようにする。
プランター１８の受け座２５、２６に多孔部材からなる用土受け部材２７を配置し、用土受け部材２７上に用土３１を装入して作業を終了する。
【００１５】
従って、本発明の一実施の形態に係るプランター装置１０においては、固定側金具１４の上向きフック１１に、プランター１８を取付けた吊り下げ金具１６の下向きフック１５を下方から上方に移動させて簡単に掛合することができると共に、下向きフック１５及び上向きフック１１の掛合長さが長いので、プランター１８を強固に支持できる。また、下向きフック１５及び上向きフック１１との掛合部を、プランター１８の正面側から見た場合、下向きフック１５の垂直部４０及び上向きフック１１の垂直部４７が見えて、掛合部が見えないので、景観性に優れている。
【００１６】
図８に示す本発明の他の実施の形態に係るプランター装置６０について説明する。なお、プランター装置１０と同一の構成要素については同一の符号を用い、類似の構成要素については同一の符号にアルファベットを付して詳しい説明を省略する。
プランター装置６０がプランター装置１０と異なる点は、プランター１８ａの両端の側壁２０ａ（２１ａは図示せず）の中間位置には水抜き孔６１が形成されると共に、水抜き孔６１の下部位（図８中破線より下を指す）は水溜６２している。水抜き孔６１の上方には、用土受け部材２７ａとの間に空気部６３が形成されており、用土受け部材２７ａには水通し孔２８が多数形成されて、水溜６２に溜まった水を吸収可能な水吸い上げ部材の一例である布６４、６５が水通し孔２８に挿通されている。さらに、用土受け部材２７ａ上には、水通し孔２８を覆うようにして図示しない敷布が配置されていおり、この敷布によって用土受け部材２７ａ上の用土が水通し孔２８を通って水溜６２に落下しないように構成している。
【００１７】
従って、雨水や給水によってプランター１８ａ内の用土を通して水溜６２に溜まった水は水抜き孔６１によって排出されて所定のレベルを維持することができる。また、布６４、６５によって水溜６２に溜まった水は上方の用土に吸い上げられて、用土は適度の水分に維持できる。
【００１８】
さらに、プランター装置６０においては、プランター１８ａの手前側（建物の壁側）を除く側壁１９（側壁２０ａ、２１ａも同じ）の上部には、図８に示すように、断面筒状の補強部材２２ａが一体的に形成されている。即ち、補強部材２２ａは側壁１９と同じ厚みで構成され、側壁１９の上端で外側に水平に折り曲げられ、次いで、垂直に折り曲げられ、さらに内側に水平に折り曲げられた後、側壁１９に沿って下方に折り曲げられている。下方に折り曲げられた部分は接着剤等によって、側壁１９に一体的に固着されている。なお、断面筒状の補強部材２２ａ内には、ＦＲＰ加工性が容易であるので、スポンジ６６（又は発泡スチロール、木）が挿入されている。
【００１９】
従って、プランター１８ａは、従来の補強部材２２（２３、２４も同じ）を備えたプランター１８に比べて剛性がアップするので、プランター１８ａの変形を抑えることができ、また、より多くの用土を収納できると共に、容積の大きい空気部６３及び水溜６２を形成することができる。
なお、プランター装置６０を用いたプランターの取付け作業については、プランター装置１０と略同じゆえに、説明を省略する。
【００２０】
前記実施の形態においては、プランターの形状を矩形として説明したが、これに限定されず、三角形又は五角形以上、さらに円弧状とすることもできる。
上向きフック及びこれに掛合する下向きフックの断面形状をＶ字状としたが、状況に応じてＵ字状としたり、その他の形状とすることもできる。
固定側金具及び吊り下げ金具共、板材を折り曲げ加工して形成したが、場合によっては数個のピースを並べて、溶接等で一体的に構成することもできる。
掛合された吊り下げ金具の脱落防止用にストッパーとして、盲板に形成された雌ねじに螺合するボルトについて説明したが、この構成に限定されない。
プランターの側壁上部に設けた補強部材の断面形状を四角形としたが、三角形、五角形以上又は円形、楕円等とすることもできる。
【００２１】
【発明の効果】
請求項１〜３記載のプランター装置においては、プランターを取付けた吊り下げ金具の下向きフックを、建物の壁に取付けられる固定側金具の上向きフックに掛合することができるので、プランターを空中に簡単に保持することができると共に、プランターを容易に取り外すこともできる。
また、吊り下げ金具の下向きフックは板材からなると共に、固定側金具は箱状に形成され、両側には、掛止した下向きフックの脱落を防止する取り外し可能なストッパーが設けられているので、軽量でかつ剛性を大きくすることができまた、強風等に対しても強固にプランターを保持することができる。さらに、掛合部が箱状内部に位置して外から見えないので、景観性に優れている。
【００２２】
請求項２記載のプランター装置においては、水吸い上げ部材を介して水溜の水を用土に吸い上げて、用土の水分を適度に維持することができるので、草花の成育が良好となる。この水溜の部分を大容量とすることによって、長期間の水の保存を確保できる。
請求項３記載のプランター装置においては、補強部材によってプランターの剛性をアップすることができるので、コンパクトで安価な装置とすることができる。
【図面の簡単な説明】
【図１】本発明の一実施の形態に係るプランター装置の斜視図である。
【図２】同プランター装置の一部省略側断面図である。
【図３】同プランター装置に使用するプランターの正面図である。
【図４】同プランター装置に使用するプランターの側断面図である。
【図５】同プランター装置に使用する固定側金具の正面図である。
【図６】同プランター装置に使用する吊り下げ金具の正面図である。
【図７】同プランター装置に使用する継ぎ板の正面図である。
【図８】本発明の他の実施の形態に係るプランター装置の一部省略斜視断面図である。
【符号の説明】
１０：プランター装置、１１：上向きフック、１２：ねじ、１３：壁、１４：固定側金具、１５：下向きフック、１６：吊り下げ金具、１７、１７ａ：側壁、１８、１８ａ：プランター、１９、２０、２０ａ、２１：側壁、２２、２２ａ、２３、２４：補強部材、２５、２６：受け座、２７、２７ａ：用土受け部材、２８：水通し孔、２９、３０：土、３１：用土、３２：ボルト、３３：ナット、３４：座金、３５：継ぎ板、３６、３７：挿通孔、３８：固定部、３９：中間部、４０：垂直部、４１：当接部、４２：固定部、４３：中間部、４４：補強部、４５：開口部、４６：当接部、４７：垂直部、４８：長孔、４９：雌ねじ、５０、５１盲板、５３：プランター受座、５４：ねじ取付け具、５５：水溜兼空気部、６０：プランター装置、６１：水抜き孔、６２：水溜、６３：空気部、６４、６５：布（水吸い上げ部材）、６６：スポンジ
【図１】
0004102517.tif 000002
【図２】
0004102517.tif 000003
【図３】
0004102517.tif 000004
【図４】
0004102517.tif 000005
【図５】
0004102517.tif 000006
【図６】
0004102517.tif 000007
【図７】
0004102517.tif 000008
【図８】
0004102517.tif 000009